(57)【要約】      （修正有）【課題】ケーブルに対する把持力を適正値に保ってケーブルが長さ方向へずれ動くことを防止する。【解決手段】ケーブルの断面形状が楕円形で、把持した状態でのケーブルにおける線径の向きに方向性が求められるケーブル用クリップであって、クリップの本体１０にヒンジ２７で連結され、かつ、本体との間でケーブルを挟み込んで把持することが可能なクランプ部材２０と、このクランプ部材に設けられた挿入部２３をソケット１３に挿入することにより、ケーブルを把持した状態にロックすることが可能なロック手段と、このロック手段がロック状態になる前で、かつ、ケーブルにおける線径の向きが適正に保たれた状態において、クランプ部材２０をソケット１３側に仮止めすることが可能な仮ロック手段とを備えている。【選択図】        図１
2006353060.tif 000002
【特許請求の範囲】
【請求項１】
ケーブルの断面形状が楕円形で、把持した状態でのケーブルにおける線径の向きに方向性が求められるケーブル用クリップであって、
ケーブルの配線箇所に取り付けることが可能な本体と、本体に設けられたソケットと、同じく本体にヒンジで連結され、かつ、本体との間でケーブルを挟み込んで把持することが可能なクランプ部材と、このクランプ部材に設けられた挿入部と、この挿入部をソケットに挿入することにより、ケーブルを把持した状態のクランプ部材をソケット側にロックすることが可能なロック手段と、このロック手段がロック状態になる前で、かつ、ケーブルにおける線径の向きが適正に保たれた状態において、クランプ部材をソケット側に仮止めすることが可能な仮ロック手段とを備えているケーブル用クリップ。
【請求項２】
請求項１に記載されたケーブル用クリップであって、
ロック手段は、ソケットの内部およびクランプ部材における挿入部にそれぞれ設けられたロック爪であり、仮ロック手段は、同じくソケットの内部およびクランプ部材における挿入部にそれぞれ設けられた仮ロック爪であり、挿入部をソケットに挿入することにより、最初に両仮ロック爪が互いに係止し、挿入部をさらに挿入することで、両仮ロック爪の係止が外れるとともに、ロック爪が互いに係止するように設定されているケーブル用クリップ。
【発明の詳細な説明】
【技術分野】
【０００１】
本発明は、電線などのケーブルを把持して配線箇所に留めるためのクリップに関し、特にケーブルの断面形状が楕円形で、把持した状態でのケーブルにおける線径の向きに方向性が求められるケーブル用クリップに関する。
【背景技術】
【０００２】
通常の電線（単線）やワイヤハーネスのように、その断面形状が円形のケーブルを所定箇所に留めるには、例えば特許文献１に開示されているようなクリップが使用される。このクリップは、ケーブル（例えばワイヤハーネス）を結束するためのベルトと、配線箇所に開けられている取付け孔に差し込むことができる係止脚とを備えている。ベルトは、ケーブルの外周に巻いて締め付けることができ、それによってケーブルがクリップ側に把持される。この状態において、係止脚を取付け孔に差し込むことにより、ケーブルがクリップを通じて配線箇所に留められる。
【特許文献１】特開平１１−３０８７３９号公報
【発明の開示】
【発明が解決しようとする課題】
【０００３】
ケーブルの断面形状が楕円形で、クリップで把持した状態でのケーブルにおける線径の向きに方向性が求められる場合、ベルトによってケーブルを締め付ける間は、ケーブルを手や治具で保持する必要がある。また、ベルトを締め付けるときにケーブルの線径の向きに傾きが生じると、ケーブルに対する把持力が不足してケーブルが長さ方向へずれ動く原因となる。
【０００４】
本発明は、このような課題を解決しようとするもので、その目的は、ケーブルに対する把持力を適正値に保ってケーブルが長さ方向へずれ動くことを防止するとともに、線径の向きの方向性を保つためにケーブルを手や治具で保持するといった手間を不要とすることである。
【課題を解決するための手段】
【０００５】
本発明は、上記の目的を達成するためのもので、以下のように構成されている。
請求項１に記載の発明は、ケーブルの断面形状が楕円形で、把持した状態でのケーブルにおける線径の向きに方向性が求められるケーブル用クリップであって、ケーブルの配線箇所に取り付けることが可能な本体と、本体に設けられたソケットと、同じく本体にヒンジで連結され、かつ、本体との間でケーブルを挟み込んで把持することが可能なクランプ部材と、このクランプ部材に設けられた挿入部と、この挿入部をソケットに挿入することにより、ケーブルを把持した状態のクランプ部材をソケット側にロックすることが可能なロック手段と、このロック手段がロック状態になる前で、かつ、ケーブルにおける線径の向きが適正に保たれた状態において、クランプ部材をソケット側に仮止めすることが可能な仮ロック手段とを備えている。
【０００６】
この構成においては、仮ロック手段によってクランプ部材をソケット側に仮止めできれば、ケーブルにおける線径の向きが適正に保たれていることに他ならないので、その後はロック手段によってケーブルを適正な線径の向きでロックすることができる。これにより、ロック後のケーブルに対する把持力が適正値に保たれ、ケーブルが長さ方向へずれ動くことが防止される。また、仮ロック手段によってクランプ部材を仮止めした後は、方向性を保つためにケーブルを手や治具で保持するといった手間が不要になるので、作業性が向上する。
【０００７】
請求項２に記載の発明は、請求項１に記載されたケーブル用クリップであって、ロック手段は、ソケットの内部およびクランプ部材における挿入部にそれぞれ設けられたロック爪であり、仮ロック手段は、同じくソケットの内部およびクランプ部材における挿入部にそれぞれ設けられた仮ロック爪である。そして、挿入部をソケットに挿入することにより、最初に両仮ロック爪が互いに係止し、挿入部をさらに挿入することで、両仮ロック爪の係止が外れるとともに、ロック爪が互いに係止するように設定されている。
【０００８】
これにより、ロック手段および仮ロック手段の構造が簡素化されるとともに、特にソケットの内部については、成形型にスライド型を用いることなく、ロック爪および仮ロック爪を成形することも可能となる。
【発明を実施するための最良の形態】
【０００９】
以下、本発明を実施するための最良の形態を、図面を用いて説明する。
図１は、ケーブル用クリップを表した正面図である。図２は、図１の平面図である。図３は、ケーブル用クリップを表した斜視図である。図４は、図２のA-A矢視方向の拡大断面図である。
【００１０】
これらの図面で示されているクリップは、樹脂による一体成形品である。また、このクリップは、主として車両におけるエアバッグ用インフレータの点火装置に通電するための電線４０（ケーブル）を、シート内部のクッションバネ（Ｓバネ）に沿って配線する際に使用される。したがって、このクリップは、電線４０を把持するための本体１０と、この本体１０をクッションバネ材に留めるための取付け用ブロック３０とに大別される。なお、後で説明する図５〜９で示されているように、電線４０は、その断面形状がほぼ楕円形で、クリップの本体１０で把持されたときの線径の向きに方向性が求められる。
【００１１】
クリップの本体１０は、電線４０外周の一部を嵌め込むことができる溝形状の受承凹部１１を備えている。この受承凹部１１は、電線４０をその長径に沿った向きでのみ、嵌め込むことができる形状に設定され（図１）、それによって電線４０の線径の向きを規制するようになっている。また、本体１０には、図面の上下方向へ貫通した矩形の中空部を有するソケット１３が設けられている。このソケット１３内において、本体１０側の内壁にはロック爪１４が形成されている（図４）。同じくソケット１３内において、ロック爪１４を有する内壁と隣接する内壁には仮ロック爪１６が形成されている。なお、仮ロック爪１６はその内壁に形成された溝１５の一端を、ソケット１３の端部に開放させずに止めることによって形成されている。これらのロック爪１４および仮ロック爪１６は、成形型にスライド型を用いることなく、成形できるように考慮されている。
【００１２】
クリップの本体１０には、ソケット１３の反対側においてクランプ部材２０が設けられている。このクランプ部材２０と本体１０とは、弾性変形可能な薄肉のヒンジ２７によって結合されている。クランプ部材２０は、電線４０外周の一部を受け入れることが可能な溝形状の凹部２１を備えている。この凹部２１は、本体１０の受承凹部１１に嵌め込まれた電線４０において、この受承凹部１１から露出した部分の外周を受け入れるようになっている。また、クランプ部材２０の先端部には、挿入部２３が凹部２１のある側と同じ側に突出して設けられている。そして、挿入部２３の端部には、ロック爪２４および仮ロック爪２６が設けられている。これらのロック爪２４および仮ロック爪２６は、挿入部２３がソケット１３内に挿入されたとき、このソケット１３内壁のロック爪１４および仮ロック爪１６に対して個別に係止可能である。
【００１３】
クリップの取付け用ブロック３０は、本体１０のソケット１３における片側の外壁と一体に成形されている。この取付け用ブロック３０は、シートのクッションバネ材を嵌め込むことができる溝形状の受け入れ凹部３１を備えている。本実施の形態におけるクリップでは、ブロック３０の受け入れ凹部３１と本体１０の受承凹部１１とは、上下に関して互いに反対側に位置している。また、取付け用ブロック３０には、受け入れ凹部３１を挟んだ両側において、ソケット３２および押さえ部材３６が個々に設けられている。押さえ部材３６とブロック３０とは、弾性変形可能な薄肉のヒンジ３７によって結合されている。そして、ソケット３２の内部には係止爪３３があり、押さえ部材３６の先端には係止爪３３と係止可能な係止爪３８がある。
【００１４】
引きつづき、クランプの本体１０側に電線４０（ケーブル）を把持した状態でロックするための作業について説明する。
図５は、ロック前の仮ロック状態のクリップを表した斜視図である。図６は、ロック状態のクリップを表した斜視図である。図７は、仮ロック状態のクリップの一部を表した正面図である。図８は、図７のB-B矢視方向の断面図である。図９は、ロック状態のクリップの一部を表した断面図である。
【００１５】
作業に際しては、まず、本体１０の受承凹部１１に対し、電線４０をその長径に沿った向きで嵌め込む。つぎに、図５で示すように本体１０に対してクランプ部材２０をヒンジ２７の箇所で折り曲げ、その挿入部２３をソケット１３に挿入する。これにより、最初に挿入部２３の仮ロック爪２６がソケット１３内の仮ロック爪１６に係止する（図７，８）。この結果、クランプ部材２０がソケット１３側に仮止めされる。ただし、受承凹部１１に嵌め込まれた電線４０の線径の向きが不適正な場合は、クランプ部材２０が電線４０に干渉して充分に折れ曲がることができず、両仮ロック爪１６，２６は係止できない。
【００１６】
さらに、挿入部２３をソケット１３に挿入することにより、挿入部２３の仮ロック爪２６はソケット１３内の溝１５内を移動して仮ロック爪１６から離れ、今度は挿入部２３のロック爪２４がソケット１３内のロック爪１４に係止する（図９）。この結果、電線４０が本体１０の受承凹部１１とクランプ部材２０の凹部２１とによって把持された状態で、クランプ部材２０がソケット１３側にロックされる。このように、電線４０の線径方向を適正な向きに保ったまま、クランプ部材２０を仮止め状態からロック状態にすることができるので、ロック前の電線４０を手や治具で保持するといった手間が不要となる。そして、ロック後の電線４０に対する把持力は適正に保たれ、電線４０の長さ方向へのずれ動きに対する荷重が充分に確保される。
【００１７】
なお、両仮ロック爪１６，２６が本発明の「仮ロック手段」に相当し、両ロック爪１４，２４が本発明の「ロック手段」に相当する。
【００１８】
クランプをシートのクッションバネ材に留めるには、取付け用ブロック３０の受け入れ凹部３１にバネ材を嵌め込み、押さえ部材３６をヒンジ３７の箇所で折り曲げて係止爪３８をソケット３２に挿入する。これにより、係止爪３３，３８が係止してソケット３２に押さえ部材３６がロックされる。この結果、電線４０はクランプを通じてシートのクッションバネ材に沿って配線される。
【図面の簡単な説明】
【００１９】
【図１】ケーブル用クリップを表した正面図
【図２】図１の平面図
【図３】ケーブル用クリップを表した斜視図
【図４】図２のA-A矢視方向の拡大断面図
【図５】ロック前の仮ロック状態のクリップを表した斜視図
【図６】ロック状態のクリップを表した斜視図
【図７】仮ロック状態のクリップの一部を表した正面図
【図８】図７のB-B矢視方向の断面図
【図９】ロック状態のクリップの一部を表した断面図
【符号の説明】
【００２０】
１０ 本体
１３ ソケット
２０ クランプ部材
２３ 挿入部
２７ ヒンジ
４０ 電線（ケーブル）
【図１】
2006353060.tif 000003
【図２】
2006353060.tif 000004
【図３】
2006353060.tif 000005
【図４】
2006353060.tif 000006
【図５】
2006353060.tif 000007
【図６】
2006353060.tif 000008
【図７】
2006353060.tif 000009
【図８】
2006353060.tif 000010
【図９】
2006353060.tif 000011